【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
作動油を貯蔵するオイルタンクと、
主油圧アクチュエータと、
所定圧以下の油圧で作動する第２油圧アクチュエータと、
前記オイルタンクから作動油を汲み上げて前記主油圧アクチュエータ及び前記第２油圧アクチュエータに供給する油圧ポンプと、
前記油圧ポンプから前記主油圧アクチュエータへ作動油を送る主管路と、
前記第２油圧アクチュエータへ作動油を送る第２管路と、
前記主管路の中途に設けられた、前記油圧ポンプから供給される作動油の一部を分流して前記オイルタンクに戻す作動油分流手段と、
を備え、
前記作動油分流手段は、
前記主管路から分岐される分岐管路と、
その入口ポートに前記分岐管路が接続され、その出口ポートに前記第２管路が接続され、そのリリーフポートが前記オイルタンクと接続されたレデューシング弁と、を備え、
前記レデューシング弁は、前記入口ポートから導入される作動油の一部を前記リリーフポートから前記オイルタンクに分流することにより、前記出口ポートの圧力を前記所定圧以下となるよう減圧し、
前記レデューシング弁が分流する作動油の流量が、脈動を所望の水準以下に抑制するために前記油圧ポンプが維持すべき値に設定された油圧システム。
【請求項２】
前記主油圧アクチュエータには前記油圧ポンプの吐出圧力が実質的に減圧されずに供給されることを特徴とする請求項１に記載の油圧システム。
【請求項３】
前記主油圧アクチュエータが、流量を連続的に制御する流量制御弁を介さずに前記油圧ポンプと接続されることを特徴とする請求項２に記載の油圧システム。
【請求項４】
前記主油圧アクチュエータが、絞り弁を介さずに前記油圧ポンプと接続されることを特徴とする請求項３に記載の油圧システム。
【請求項５】
油圧ポンプを駆動する電動機を備えることを特徴とする請求項１から請求項４のいずれか一項に記載の油圧システム。
【請求項６】
前記電動機がサーボモータであることを特徴とする請求項５に記載の油圧システム。
【請求項７】
前記油圧ポンプがピストンポンプであることを特徴とする請求項１から請求項６のいずれか一項に記載の油圧システム。
【請求項８】
請求項１から請求項７のいずれか一項に記載の油圧システムを備えた万能試験装置。
【請求項９】
固定盤と、該固定盤に対して移動可能な可動盤と、該可動盤を移動させる油圧システムと、試験片を把持するチャック手段とを備え、前記固定盤と前記可動盤との間に保持された試験片に静荷重を加える万能試験装置であって、
前記油圧システムが、
作動油を貯蔵するオイルタンクと、
所定圧よりも高い油圧で作動して前記可動盤を駆動する主油圧シリンダと、
前記オイルタンクから作動油を汲み上げて前記主油圧シリンダに供給する油圧ポンプと、
前記油圧ポンプを駆動するサーボモータと、
前記油圧ポンプと前記主油圧シリンダの間に配置され、前記油圧ポンプから供給される作動油の一部を前記オイルタンクに戻す作動油分流手段と、を備え、
前記チャック手段が、
前記試験片を把持する把持アームと、
所定圧以下の油圧で作動して前記把持アームを駆動するチャック用油圧シリンダと、を備え、
前記作動油分流手段が、その入口ポートが前記油圧ポンプと接続され、その出口ポートが前記チャック用油圧シリンダと接続され、そのリリーフポートが前記オイルタンクと接続されたレデューシング弁であり、
前記レデューシング弁が、前記入口ポートから導入される作動油の一部を前記リリーフポートから前記オイルタンクに分流することにより、前記出口ポートの圧力を前記所定圧以下となるよう減圧し、
前記レデューシング弁によって分流される作動油の流量が、脈動を所望の水準以下に抑制するために前記油圧ポンプが維持すべき値に設定された万能試験装置。
【請求項１０】
前記チャック手段は、前記チャック用油圧シリンダの一方の油圧室に作動油を供給してピストンを移動させたときに前記試験片を把持し、
前記チャック用油圧シリンダの前記一方の油圧室と前記油圧ポンプとの間に、前記試験片が把持されている間に前記一方の油圧室から前記油圧ポンプ側への作動油の逆流を防止するチェック弁を備える
ことを特徴とする請求項９に記載の万能試験装置。
【請求項１１】
前記油圧ポンプと前記油圧シリンダとの間に、前記油圧ポンプから送られる作動油を前記一方及び前記他方の油圧室のいずれに送るかを切り換える切換弁を備え、
前記チャック手段は、前記チャック用油圧シリンダの他方の油圧室に作動油を供給してピストンを移動させたときに前記試験片の把持を解除し、
前記チェック弁はそのパイロットポートが前記他方の油圧室に接続されたパイロットチェック弁であり、前記他方の油圧室に作動油が供給されると前記パイロットチェック弁が開いて前記一方の油圧室から作動油が排出されるように構成されている
ことを特徴とする請求項１０に記載の万能試験装置。
【請求項１２】
前記チェック弁と前記一方の油圧室の間に配置されたアキュムレータを備えることを特徴とする請求項１１に記載の万能試験装置。
【手続補正２】
【補正対象書類名】明細書
【補正対象項目名】０００８
【補正方法】変更
【補正の内容】
【０００８】
本発明により油圧システムが提供される。本発明の実施形態に係る油圧システムは、作動油を貯蔵するオイルタンクと、主油圧アクチュエータと、所定圧以下の油圧で作動する第２油圧アクチュエータと、オイルタンクから作動油を汲み上げて主油圧アクチュエータ及び第２油圧アクチュエータに供給する油圧ポンプと、油圧ポンプから主油圧アクチュエータへ作動油を送る主管路と、第２油圧アクチュエータへ作動油を送る第２管路と、主管路の中途に設けられた、油圧ポンプから供給される作動油の一部を分流してオイルタンクに戻す作動油分流手段とを備えている。作動油分流手段は、主管路から分岐される分岐管路と、その入口ポートに分岐管路が接続され、その出口ポートに第２管路が接続され、そのリリーフポートがオイルタンクと接続されたレデューシング弁とを備え、レデューシング弁は、入口ポートから導入される作動油の一部をリリーフポートからオイルタンクに分流することにより、出口ポートの圧力を所定圧以下となるよう減圧し、レデューシング弁が分流する作動油の流量が、脈動を所望の水準以下に抑制するために油圧ポンプが維持すべき値に設定されている。
【手続補正３】
【補正対象書類名】明細書
【補正対象項目名】０００９
【補正方法】変更
【補正の内容】
【０００９】
このような構成の油圧システムは、主油圧アクチュエータを低速駆動させる場合でも、作動油分流手段から所定の流量の作動油がオイルタンクに還流されるため、油圧ポンプの吐出量を脈動が所望の水準以下に抑制される量に維持させることができる。そのため、本発明の実施形態に係る油圧システムは、主油圧アクチュエータを低速駆動させた場合でも、主油圧アクチュエータに振動等が発生することなく、例えば万能試験装置等の低速かつ低振動の駆動が必要な用途に適用することができる。
【手続補正４】
【補正対象書類名】明細書
【補正対象項目名】００１０
【補正方法】変更
【補正の内容】
【００１０】
本発明の適用による有利な効果が特に期待される油圧システムは、主油圧アクチュエータに油圧ポンプの吐出圧力が実質的に減圧されずに供給されものである。
【手続補正５】
【補正対象書類名】明細書
【補正対象項目名】００１１
【補正方法】変更
【補正の内容】
【００１１】
具体的には、主油圧アクチュエータが、流量を連続的に制御する流量制御弁（例えば絞り弁）を介さずに油圧ポンプと接続された油圧システムである。
【手続補正６】
【補正対象書類名】明細書
【補正対象項目名】００１２
【補正方法】変更
【補正の内容】
【００１２】
油圧ポンプを駆動する電動機を備えていてもよい。この場合、電動機はサーボモータであることが望ましい。サーボモータを使用することで、電動機のフィードバック制御による主油圧アクチュエータの駆動制御が可能になる。また、油圧ポンプはピストンポンプであることが望ましい。
【手続補正７】
【補正対象書類名】明細書
【補正対象項目名】００１４
【補正方法】変更
【補正の内容】
【００１４】
また、本発明の実施形態に係る万能試験装置は、固定盤と、固定盤に対して移動可能な可動盤と、可動盤を移動させる油圧システムと、試験片を把持するチャック手段とを備えている。油圧システムは、作動油を貯蔵するオイルタンクと、所定圧よりも高い油圧で作動して可動盤を駆動する主油圧シリンダと、オイルタンクから作動油を汲み上げて主油圧シリンダに供給する油圧ポンプと、油圧ポンプを駆動するサーボモータと、油圧ポンプと主油圧シリンダの間に配置され、油圧ポンプから供給される作動油の一部をオイルタンクに戻す作動油分流手段とを備えている。
【手続補正８】
【補正対象書類名】明細書
【補正対象項目名】００１５
【補正方法】変更
【補正の内容】
【００１５】
また、チャック手段が、試験片を把持する把持アームと、所定圧以下の油圧で作動して把持アームを駆動するチャック用油圧シリンダとを備える構成としてもよい。
【手続補正９】
【補正対象書類名】明細書
【補正対象項目名】００１６
【補正方法】変更
【補正の内容】
【００１６】
また、作動油分流手段が、その入口ポートが油圧ポンプと接続され、その出口ポートがチャック用油圧シリンダと接続され、そのリリーフポートがオイルタンクと接続されたレデューシング弁であり、レデューシング弁が、入口ポートから導入される作動油の一部をリリーフポートからオイルタンクに分流することにより、出口ポートの圧力を所定圧以下となるよう減圧し、レデューシング弁によって分流される作動油の流量が、脈動を所望の水準以下に抑制するために油圧ポンプが維持すべき値に設定された構成としてもよい。
【手続補正１０】
【補正対象書類名】明細書
【補正対象項目名】００１７
【補正方法】変更
【補正の内容】
【００１７】
また、チャック手段は、チャック用油圧シリンダの一方の油圧室に作動油を供給してピストンを移動させたときに試験片を把持し、チャック用油圧シリンダの一方の油圧室と油圧ポンプとの間に、試験片が把持されている間に一方の油圧室から油圧ポンプ側への作動油の逆流を防止するためのチェック弁を備えていてもよい。
【手続補正１１】
【補正対象書類名】明細書
【補正対象項目名】００１８
【補正方法】変更
【補正の内容】
【００１８】
また、チャック手段はチャック用油圧シリンダの他方の油圧室に作動油を供給してピストンを移動させたときに試験片の把持を解除する。油圧ポンプと油圧シリンダとの間に、油圧ポンプから送られる作動油を一方及び他方の油圧室のいずれに送るかを切り換える切換弁を備えていてもよい。
【手続補正１２】
【補正対象書類名】明細書
【補正対象項目名】００１９
【補正方法】変更
【補正の内容】
【００１９】
チェック弁はそのパイロットポートが他方の油圧室に接続されたパイロットチェック弁であり、他方の油圧室に作動油が供給されるとパイロットチェック弁が開いて一方の油圧室から作動油が排出されるように構成されていてもよい。
【手続補正１３】
【補正対象書類名】明細書
【補正対象項目名】００２０
【補正方法】変更
【補正の内容】
【００２０】
また、万能試験装置がチェック弁と一方の油圧室の間に配置されたアキュムレータを有する構成としてもよい。